(57)【要約】【課題】作業機械の電装パネルに関し、十分な防水性とメンテナンス性と確保しつつ、キャブ内の見栄えを向上させる。【解決手段】作業機械のキャブ内におけるシート後部に設けられ、該作業機械に搭載された電装品のリレーを内蔵する電装ボックス１と、該シート後部において電装ボックス１とは別体に設けられて電装ボックス１を被装するカバー部材２と、カバー部材２の平面部２ａに形成された開口部３と、該作業機械に搭載された電装品のフューズを内蔵し電装ボックス１に固設されるとともに開口部３を介して該キャブ内に露出するように設けられたフューズボックス４とを備える。【選択図】図１
2010095860.tif 000002
【特許請求の範囲】
【請求項１】
作業機械のキャブ内におけるシート後部に設けられ、該作業機械に搭載された電装品のリレーを内蔵する電装ボックスと、
該シート後部において該電装ボックスとは別体に設けられて該電装ボックスを被装するカバー部材と、
該カバー部材の平面部に形成された開口部と、
該作業機械に搭載された電装品のフューズを内蔵し、該電装ボックスに固設されるとともに、該開口部を介して該キャブ内に露出するように設けられたフューズボックスと
を備えたことを特徴とする、作業機械の電装パネル。
【請求項２】
該電装ボックスが、箱状に形成されたボックス本体と、該ボックス本体に対して枢支された開閉自在のドア部とを有し、
該フューズボックスが、該ドア部に固設されている
ことを特徴とする、請求項１記載の作業機械の電装パネル。
【請求項３】
該カバー部材の該平面部が、該キャブ内における前方かつ上方へ向けて配向されるとともに、
該フューズボックスの表面が、該カバー部材の該平面部と平行に形成されている
ことを特徴とする、請求項１又は２記載の作業機械の電装パネル。
【請求項４】
該フューズボックスが、箱状に形成されて該ボックス本体に固設されたフューズボックス本体と、該フューズボックス本体に対して着脱自在に設けられたボックスカバーとを有する
ことを特徴とする、請求項１〜３の何れか１項に記載の作業機械の電装パネル。
【発明の詳細な説明】
【技術分野】
【０００１】
本発明は、作業機械に搭載された電装品のフューズ及びリレーを内蔵した電装パネルに関する。
【背景技術】
【０００２】
従来の作業機械には、エンジンコントローラ，ワイパーコントローラ等の制御機器や、機体に搭載されたヘッドランプ用のフューズ，リレー，ブレーカ等、の電装部品を内蔵した電装ボックスが設けられている。一般に電装ボックスは、降雨時や機体洗車時に直接水がかからない場所であって、かつ、内部の電装部品の点検作業や交換作業が行いやすい位置に設けられる。
【０００３】
例えば特許文献１には、電装ボックスを油圧ショベルのキャブ内に収納したものが記載されている。この技術では、シート後方に収納ボックスを設けるとともに、フューズユニットを収納ボックスとキャブ側壁との空隙部に設けて、キャブ内のスペースの有効利用を図っている。
【特許文献１】特開２００５−２８９２５３号公報
【発明の開示】
【発明が解決しようとする課題】
【０００４】
しかしながら、特許文献１の技術では、例えばフューズの点検作業や交換作業時に、フューズユニットの外側を覆うカバー体を取り外す必要があり、良好なメンテナンス性が得られにくいという課題がある。
本発明はこのような課題に鑑みてなされたもので、十分な防水性とメンテナンス性と確保しつつ、キャブ内の見栄えを向上させることができるようにした、作業機械の電装パネルを提供することを目的とする。
【課題を解決するための手段】
【０００５】
上記目的を達成するため、請求項１記載の本発明の作業機械の電装パネルは、作業機械のキャブ内におけるシート後部に設けられ、該作業機械に搭載された電装品のリレーを内蔵する電装ボックスと、該シート後部において該電装ボックスとは別体に設けられて該電装ボックスを被装するカバー部材と、該カバー部材の平面部に形成された開口部と、該作業機械に搭載された電装品のフューズを内蔵し、該電装ボックスに固設されるとともに、該開口部を介して該キャブ内に露出するように設けられたフューズボックスとを備えたことを特徴としている。
【０００６】
また、請求項２記載の本発明の作業機械の電装パネルは、請求項１記載の構成に加え、該電装ボックスが、箱状に形成されたボックス本体と、該ボックス本体に対して枢支された開閉自在のドア部とを有し、該フューズボックスが、該ドア部に固設されていることを特徴としている。
また、請求項３記載の本発明の作業機械の電装パネルは、請求項１又は２記載の構成に加え、該カバー部材の該平面部が、該キャブ内における前方かつ上方へ向けて配向されるとともに、該フューズボックスの表面が、該カバー部材の該平面部と平行に形成されていることを特徴としている。
【０００７】
また、請求項４記載の本発明の作業機械の電装パネルは、請求項１〜３の何れか１項に記載の構成に加え、該フューズボックスが、箱状に形成されて該ボックス本体に固設されたフューズボックス本体と、該フューズボックス本体に対して着脱自在に設けられたボックスカバーとを有することを特徴としている。
【発明の効果】
【０００８】
本発明の作業機械の電装パネル（請求項１）によれば、電装ボックスとカバー部材とを別体とすることにより、キャブ内の見栄えを向上させることができる。また、フューズボックスがカバー部材の開口部を介してキャブ内に露出しているため、キャブ内で容易にフューズの交換をすることができる。
また、本発明の作業機械の電装パネル（請求項２）によれば、ドア部を開放することにより、ボックス本体の内部へのアクセス性をより高めることができる。
【０００９】
また、本発明の作業機械の電装パネル（請求項３）によれば、フューズボックスの表面がキャブ内のシート後部から斜め前上方向へ向くように設けられるため、フューズボックスへのアクセス性をより高めることができる。また、フューズボックスの表面とその周囲のカバー部材の平面部とが平行に設けられるため、見栄えを向上させることができる。
また、本発明の作業機械の電装パネル（請求項４）によれば、ボックスカバーをフューズボックス本体から取り外すことにより、簡単にフューズボックス内部のフューズを点検，交換することができ、メンテナンス性をさらに高めることができる。例えば、フューズの点検，交換の際に電装ボックスのドア部を開放する必要がない。
【発明を実施するための最良の形態】
【００１０】
以下、図面により、本発明の実施の形態について説明する。
図１〜図４は、本発明の一実施形態に係る作業機械の電装パネルを説明するためのものであり、図１は本電装パネルの構成を分解して示す斜視図、図２は本電装パネルの全体構成を示す斜視図、図３は本電装パネルのドア部開放時の状態を示す斜視図、図４は本電装パネルを備えた油圧ショベルのキャブを部分的に透視して示す斜視図である。
【００１１】
［全体構成］
本発明に係る電装パネルは、図４に示す油圧ショベルのキャブ１０に適用されている。このキャブ１０は、油圧ショベルに装備されたブームやアーム等の作業装置を駆動するための操作レバーや、オペレータが着座するシートが設けられるものである。図４に示すように、本電装ボックスはキャブ１０内のシート後部となるキャブ１０の背面に設けられている。なお、図４ではこれらの操作レバー，シートの記載を省略し、キャブの形状を破線で示している。
【００１２】
［電装パネル］
図１に各部材を分解して示すように、本電装パネルは電装ボックス１，カバー部材２，開口部３及びフューズボックス４を備えて構成される。
電装ボックス１とは、油圧ショベルに搭載された電装品やコントローラやリレー等の電装部品を内蔵した箱状の装置である。本電装ボックス１の内部には、油圧ショベルのメインスイッチに接続されたメインパワーリレー，エンジンの始動に係るスタートリレー，ダイオード等、油圧ショベルの始動時に作動する装置や、グロープラグに通電するためのグローリレー，グローコントローラ，端子台等の電装部品が収納されている。ドア部１ｂは、ボックス本体１ａにおけるキャブ１０の室内側の面を構成する部分であり、枢支軸１ｃを介してボックス１ａに対して開閉自在に枢支されている。
【００１３】
本実施形態における枢着軸１ｃは、ドア部１ｂの下端部を水平に枢支している。ドア部１ｂは電装ボックス１の前方のほぼ全面に渡って形成されており、図３に示すようにドア部１ｂを開放すると、キャブ１０の室内側から電装ボックス１の内部へ容易にアクセスすることができるようになっている。なお、ドア部１ｂの表面は鉛直よりもやや上方へ向けて傾いた配向となっている。
【００１４】
図３を用いてドア部１ｂの枢支構造を説明する。
ドア部１ｂは、平面状の鋼板の左右両端辺を屈曲して形成された一対の屈曲部１ｅ，１ｅを備えている。これらの屈曲部１ｅ，１ｅは、ドア部１ｂの左右側方に隣接するボックス壁面１ｆと平行に配向されており、屈曲部１ｅ，１ｅ及びボックス壁面１ｆに対して垂直に緩装されたピン形状の枢支軸１ｃによって、ドア部１ｂが枢支されている。また、屈曲部１ｅの上端部近傍及びボックス壁面１ｆのこれに対応する位置には固定穴１ｇが穿たれており、この固定穴１ｇに締結部材を締結させることによってドア部１ｂを閉鎖した状態で固定することができるようになっている。
【００１５】
また、ドア部１ｂには、フューズボックス４を挿通した状態で固定しうる大きさのボックス開口部１ｄが形成されている。フューズボックス４とは、油圧ショベルに搭載された各種電装品を電気的に保護するための、許容電流に合わせた容量のフューズ類をまとめて内蔵するものである。このフューズボックス４は、ボックス開口部１ｄを介して電装ボックス１の外部へと突出するように、ドア部１ｂに対して固設されている。
【００１６】
図１に示すように、フューズボックス４は、ボックス本体４ａ及びフューズカバー４ｂを備えて構成されている。フューズカバー４ｂは、ボックス本体４ａの外側（キャブ１０の室内側）に対して、取り外し自在に設けられている。これにより、例えばフューズカバー４ｂを取り外してボックス本体４ａ内のフューズを点検あるいは交換することができるようになっている。また、フューズボックス４の表面（例えば、フューズカバー４ｂの表面）は、カバー部材２の平面部２ａと平行に形成されている。
【００１７】
カバー部材２は、フューズボックス４が固設される電装ボックス１とは別体に設けられ内装材であり、図２に示すように、電装ボックス１の外側を被装するものである。このカバー部材２には、図１に示すように、平面状に形成された平面部２ａと、平面部２ａの上端及び下端をほぼ垂直に屈曲して形成された取付部２ｂとを備えて構成される。取付部２ｂにはカバー部材２をキャブ１０に固定するための取り付け金具やビス，ボルト締結用の取り付け穴等が形成されている。また、平面部２ａには開口部３が形成されている。
【００１８】
カバー部材２の平面部２ａは、図２に示すように、キャブ１０内における前方かつ上方へ向けて配向されており、ちょうどフューズカバー４ｂの表面に対して平行になるように設けられている。また、開口部３は、フューズボックス４よりもやや大きめの開口として形成されている。この開口部３を介して、フューズボックス４がキャブ１０内に露出した状態で固定されるようになっている。
【００１９】
［作用・効果］
本電装パネルにおいては、電装ボックス１とカバー部材２とが別体に形成されているため、図４に示すように、キャブ１０内の見栄えを向上させることができる。また、カバー部材２の平面部２ａがキャブ１０内における前方かつ上方へ向けて配向されているため、キャブ１０の室内空間を広く見せることができ、居住性を高めることができる。また、電装ボックス１やフューズボックス４がキャブ１０内に設けられているため、防水性の確保も容易である。
【００２０】
また、フューズボックス４がカバー部材２の開口部３を介してキャブ１０内に露出しているため、フューズのメンテナンス時には単にフューズカバー４ｂを取り外せばよく、カバー部材２を取り外す必要がない。このように、キャブ１０内で容易にフューズの点検や交換を行うことができる。
また、フューズボックス４の表面がキャブ１０内のシート後部から斜め前上方向へ向くように設けられるため、フューズボックス４へのアクセス性をより高めることができる。さらに、フューズボックス４の表面とその周囲のカバー部材２の平面部２ａとが平行に設けられるため、見栄えも良好である。
【００２１】
一方、フューズ以外の電装部品のメンテナンス時には、カバー部材２を取り外した後、固定穴１ｇの締結具を取り外せば、ドア部１ｂが開放される。図３に示すように、ドア部１ｂは電装ボックス１の前方のほぼ全面に渡って形成されているため、電装ボックス１の内部が広く開放されることになり、容易に内部点検を実施することができる。さらに、リレーやコントローラといった電装部品の交換作業も容易であり、アクセス性が高いという利点がある。
【００２２】
なお、カバー部材２の平面部２ａがキャブ１０内における前方かつ上方へ向けて配向されているため、ドア部１ｂの開放時には電装ボックス１の内部がキャブ１０内における前方かつ上方へ向けて開放されることになり、良好な作業性が得られるというメリットもある。
このように、本作業機械の電装パネルによれば、十分な防水性とメンテナンス性と確保しつつ、キャブ１０内の見栄えを向上させることができる。
【００２３】
［その他］
以上、本発明の実施形態について説明したが、本発明は上述の実施形態に限定されるものではなく、本発明の趣旨を逸脱しない範囲で種々変形して実施することができる。
例えば、上述の実施形態では、電装ボックス１のドア部１ｂの開放時にはカバー部材２を取り外す旨の説明をしてあるが、開口部３の大きさは適宜設定してやればよいものであって、例えば開口部３の大きさをドア部１ｂと同一又はドア部１ｂよりも大きく設定することにより、カバー部材２を取り外すことなく電装ボックス１の内部メンテナンスを実施することが可能となる。
【００２４】
また、上述の実施形態では、本電装パネルを油圧ショベルのキャブ１０に適用したものを例示したが、本発明の適用対象はこれに限定されず、クレーン装置やホイールローダ等の作業機械のキャブに適用することも可能である。
【図面の簡単な説明】
【００２５】
【図１】本発明の一実施形態に係る作業機械の電装パネルの構成を分解して示す斜視図である。
【図２】本発明の一実施形態に係る作業機械の電装パネルの全体構成を示す斜視図である。
【図３】本発明の一実施形態に係る作業機械の電装パネルにおけるドア部開放時の状態を示す斜視図である。
【図４】本発明の一実施形態に係る作業機械の電装パネルを備えた油圧ショベルのキャブを部分的に透視して示す斜視図である。
【符号の説明】
【００２６】
１  電装ボックス
１ａ  ボックス本体
１ｂ  ドア部
１ｃ  枢支軸
１ｄ  ボックス開口部
１ｅ  屈曲部
１ｆ  ボックス壁面
１ｇ  固定穴
２  カバー部材
２ａ  平面部
２ｂ  取付部
３  開口部
４  フューズボックス
４ａ  ボックス本体
４ｂ  フューズカバー
１０  キャブ
【図１】
2010095860.tif 000003
【図２】
2010095860.tif 000004
【図３】
2010095860.tif 000005
【図４】
2010095860.tif 000006